(57)【要約】【課題】送信者がファクシミリ文書を正常に送信できたかどうかを判断するための受信通知の方法を制御することが可能となるファクシミリ装置を提供する。【解決手段】ファクシミリ伝送制御手段に従ってファクシミリ文書を送信するファクシミリ装置において、受信通知の送信先を入力する通知先情報入力手段１と、受信通知の送信方法を制御する通知方法制御情報入力手段２と、通知先情報と通知方法制御信号を符号化する情報符号化手段３と、符号化された情報を送信文書データに付加する情報付加手段４とを備えた。【選択図】　　　　図１
2004040488.tif 000002
【特許請求の範囲】
【請求項１】
ファクシミリ伝送制御手段に従ってファクシミリ文書を送信するファクシミリ装置において、受信通知の送信先を入力する通知先情報入力手段と、受信通知の送信方法を制御する通知方法制御情報入力手段と、通知先情報と通知方法制御信号を符号化する情報符号化手段と、符号化された情報を送信文書データに付加する情報付加手段とを備えたことを特徴とするファクシミリ装置。
【請求項２】
通知方法制御情報は、受信通知に受信文書を含めるか否かを制御するための情報であることを特徴とする請求項１記載のファクシミリ装置。
【請求項３】
通知方法制御情報は、受信通知に受信文書の全てのページを含めるか、あるいは一部分のみを含めるかを制御するための情報であることを特徴とする請求項１または２記載のファクシミリ装置。
【請求項４】
上記情報符号化手段は、通知先情報と通知方法制御情報をバーコード画情報に符号化することを特徴とする請求項１ないし３のいずれか記載のファクシミリ装置。
【請求項５】
公衆電話回線またはＬＡＮ、あるいはその両方に入出力手段を介して接続されたファクシミリ装置において、受信文書データに付加された受信通知の通知先情報と通知方法制御情報を取り出す情報取り出し手段と、取り出した情報を復号化する情報復号化手段と、復号化された通知方法制御情報に従って通知方法を制御する通知方法制御手段と、復号化された通知先情報で示される通知先へ入出力手段を介して受信通知を送信する送信手段とを備えたことを特徴とするファクシミリ装置。
【請求項６】
上記通知方法制御手段は、得られた通知方法制情報に、受信文書を含めるという指示がある場合に受信通知に受信文書を含めて送信し、得られた通知方法制情報に受信文書を含めないという指示がある場合に、受信通知に受信文書を含めずに送信するための制御を行うことを特徴とする請求項５記載のファクシミリ装置。
【請求項７】
上記通知方法制御手段は、得られた通知方法制情報に受信文書を全て含めるという指示がある場合に、受信通知に受信文書を全て含めて送信し、得られた通知方法制情報に受信文書を一部含めるという指示がある場合に、受信通知に受信文書の一部を含めて送信するための制御を行うことを特徴とする請求項５または６記載のファクシミリ装置。
【請求項８】
上記情報復号化手段は、通知先情報と通知方法制御情報をバーコード画情報から復号化することを特徴とする請求項５ないし７のいずれか記載のファクシミリ装置。
【請求項９】
公衆電話回線またはＬＡＮ、あるいはその両方に入出力手段を介して接続されたファクシミリ装置において、受信文書データに付加された受信通知の通知先情報と通知方法制御情報を取り出す情報取り出し手段と、取り出した情報を復号化する情報復号化手段と、復号化された通知先情報に従って通知方法を制御する通知方法制御手段と、復号化された通知先情報で示される通知先へ入出力手段を介して受信通知を送信する送信手段とを備えたことを特徴とするファクシミリ装置。
【発明の詳細な説明】
【０００１】
【発明の属する技術分野】
本発明は、公衆電話回線やＬＡＮ（ローカルエリアネットワーク）に接続され、受信通知を送信できるファクシミリ装置に係り、特に受信通知を行う方法を様々に制御することが可能なファクシミリ装置に関するものである。
【０００２】
【従来の技術】
従来より、公衆電話回線に接続されたファクシミリ装置がファクシミリ文書の受信時に、別のファクシミリへ受信文書を転送したり、あるいはＬＡＮに接続されている場合などは、受信文書をＥメールとして送信する方法が提案されている。
【０００３】
特開平０５−１９９３８８号公報に示される技術では、受信文書内にバーコードで書かれたＥメールアドレスへ受信文書を転送するファクシミリサーバが示されている。
【０００４】
また、フェーズＢの所定の信号にメールアドレスを設定する方法や、特開平１０−５６５４９号公報では、画情報にメールアドレスを設定する手段が提案されている。
【０００５】
これら従来の方法によれば、ファクシミリ文書の送信者が自分のＥメールアドレスを転送先に指定した場合は、受信文書が自分自身に転送されることになるため、確実に文書が到達したかどうかを判断するための受信通知として利用することが可能となる。
【０００６】
【発明が解決しようとする課題】
しかしながら、特開平０５−１９９３８８号公報、特開平１０−５６５４９号公報に示された技術は、いずれも受信側で複数の操作者が一つのファクシミリ装置、ファクシミリサーバを利用する場合を想定しており、送信側の操作者が転送機能を受信通知として利用する場合は想定していない。そのため、常に受信文書全体が自分へ転送されてしまう。
【０００７】
多くの場合、送信者が知りたいのは受信が正常に終了したかどうかのみであり、受信文書の品質などは問題とならない。にもかかわらず受信文書全体が転送されるのは、ネットワーク資源の無駄となる。さらに、携帯電話によるＥメール受信などの場合などは、転送された受信文書を見る手段がない。
【０００８】
本発明の目的は、送信者がファクシミリ文書を正常に送信できたかどうかを判断するための受信通知の方法を制御することが可能となるファクシミリ装置を提供することにある。
【０００９】
さらに詳しくは、請求項１に係る発明の目的は、送信文書データに受信通知の方法を制御する情報を付加して送信することにより、受信通知の方法の制御が可能なファクシミリ装置を提供することである。
【００１０】
請求項２に係る発明の目的は、送信文書データに受信通知に受信文書を含めるか否かの制御情報を付加して送信することにより、受信通知の方法の制御が可能なファクシミリ装置を提供することである。
【００１１】
請求項３に係る発明の目的は、送信文書データに受信通知に受信文書を全て含めるか、あるいは一部含めるかの制御情報を付加して送信することにより、受信通知の制御が可能なファクシミリ装置を提供することである。
【００１２】
請求項４に係る発明の目的は、送信文書データに受信通知先と制御情報をバーコード画情報として付加して送信することにより、受信通知の制御が可能なファクシミリ装置を提供することである。
【００１３】
請求項５に係る発明の目的は、受信文書データに付加された受信通知の方法に従って受信通知を行うことが可能なファクシミリ装置を提供することである。
【００１４】
請求項６に係る発明の目的は、受信文書データに付加された、受信文書を含めるか否かの制御情報に従って受信通知を行うことが可能なファクシミリ装置を提供することである。
【００１５】
請求項７に係る発明の目的は、受信文書データに付加された、受信文書を全て含めるか、あるいは一部含めるかの制御情報に従って受信通知を行うことが可能なファクシミリ装置を提供することである。
【００１６】
請求項８に係る発明の目的は、送信文書データにバーコード画情報として付加された受信通知先と制御情報に従って受信通知を行うことが可能なファクシミリ装置を提供することである。
【００１７】
請求項９に係る発明の目的は、送信文書データに付加された受信通知先を解析し、結果に従って受信通知の方法を制御することが可能なファクシミリ装置を提供することである。
【００１８】
【課題を解決するための手段】
上記目的を達成するために、請求項１記載の発明は、ファクシミリ伝送制御手段に従ってファクシミリ文書を送信するファクシミリ装置において、受信通知の送信先を入力する通知先情報入力手段と、受信通知の送信方法を制御する通知方法制御情報入力手段と、通知先情報と通知方法制御信号を符号化する情報符号化手段と、符号化された情報を送信文書データに付加する情報付加手段とを備えたファクシミリ装置を最も主要な特徴とする。
【００１９】
請求項２記載の発明では、通知方法制御情報は、受信通知に受信文書を含めるか否かを制御するための情報である請求項１記載のファクシミリ装置を主要な特徴とする。
【００２０】
請求項３記載の発明では、通知方法制御情報は、受信通知に受信文書の全てのページを含めるか、あるいは一部分のみを含めるかを制御するための情報である請求項１または２記載のファクシミリ装置を主要な特徴とする。
【００２１】
請求項４記載の発明では、上記情報符号化手段は、通知先情報と通知方法制御情報をバーコード画情報に符号化する請求項１ないし３のいずれか記載のファクシミリ装置を主要な特徴とする。
【００２２】
請求項５記載の発明は、公衆電話回線またはＬＡＮ、あるいはその両方に入出力手段を介して接続されたファクシミリ装置において、受信文書データに付加された受信通知の通知先情報と通知方法制御情報を取り出す情報取り出し手段と、取り出した情報を復号化する情報復号化手段と、復号化された通知方法制御情報に従って通知方法を制御する通知方法制御手段と、復号化された通知先情報で示される通知先へ入出力手段を介して受信通知を送信する送信手段とを備えたファクシミリ装置を最も主要な特徴とする。
【００２３】
請求項６記載の発明では、上記通知方法制御手段は、得られた通知方法制情報に、受信文書を含めるという指示がある場合に受信通知に受信文書を含めて送信し、得られた通知方法制情報に受信文書を含めないという指示がある場合に、受信通知に受信文書を含めずに送信するための制御を行う請求項５記載のファクシミリ装置を主要な特徴とする。
【００２４】
請求項７記載の発明では、上記通知方法制御手段は、得られた通知方法制情報に受信文書を全て含めるという指示がある場合に、受信通知に受信文書を全て含めて送信し、得られた通知方法制情報に受信文書を一部含めるという指示がある場合に、受信通知に受信文書の一部を含めて送信するための制御を行う請求項５または６記載のファクシミリ装置を主要な特徴とする。
【００２５】
請求項８記載の発明では、上記情報復号化手段は、通知先情報と通知方法制御情報をバーコード画情報から復号化する請求項５ないし７のいずれか記載のファクシミリ装置を主要な特徴とする。
【００２６】
請求項９記載の発明は、公衆電話回線またはＬＡＮ、あるいはその両方に入出力手段を介して接続されたファクシミリ装置において、受信文書データに付加された受信通知の通知先情報と通知方法制御情報を取り出す情報取り出し手段と、取り出した情報を復号化する情報復号化手段と、復号化された通知先情報に従って通知方法を制御する通知方法制御手段と、復号化された通知先情報で示される通知先へ入出力手段を介して受信通知を送信する送信手段とを備えたファクシミリ装置を最も主要な特徴とする。
【００２７】
【発明の実施の形態】
以下、本発明のファクシミリ装置の実施の形態を図面に基づいて詳細に説明する。なお、この実施の形態は例を示したものに過ぎず、本発明を限定するものではない。図１は本発明の第１の実施の形態に係るファクシミリ装置の機能ブロック図である。本ファクシミリ装置は、受信通知の送信先を入力する通知先情報入力手段１と、受信通知の送信方法を制御する通知方法制御情報入力手段２と、通知先情報と通知方法制御信号を符号化する情報符号化手段３と、符号化された情報を送信文書データに付加する情報付加手段４と、ファクシミリ伝送制御手段に従ってファクシミリ文書を送信し、また外部からファクシミリ文書を受信する入出力手段５とを備える。
【００２８】
図２は図１に示すファクシミリ装置の制御動作を示すフローチャートである。まず、ファクシミリ装置は操作者に送信先のファクシミリ番号の入力を促す。操作者は送信先のファクシミリ番号を入力する（Ｓ１）。
【００２９】
次に、受信通知を行うかどうかを選択する（Ｓ２）。「通知を行わない」を選択した場合は、通常のファクシミリ送信処理を行い（Ｓ８）終了する。通常のファクシミリ送信の手順は省略する。「通知を行う」を選択した場合は、次に受信通知先を入力する（Ｓ３）。
【００３０】
受信通知先としてはＥメールアドレスを利用することができる。Ｅメールアドレス以外には、例えばＵＲＬ（Ｕｎｉｖｅｒｓａｌ　Ｒｅｓｏｕｒｃｅ　Ｌｏｃａｔｏｒ）やＵＲＩ（Ｕｎｉｆｏｒｍ　Ｒｅｓｏｕｒｃｅ　Ｉｄｅｎｔｉｆｉｅｒｓ）を利用することができる。
【００３１】
本実施例ではＥメールアドレスを例として進める。次に、受信文書を転送するかどうかを選択する（Ｓ４）。送信した文書の画像品質、例えばスキャン時のノイズの状態などをチェックする場合は、「受信文書を転送する」を選択する。受信の成否のみを通知させたい場合は、「受信文書を転送しない」を選択する。
【００３２】
「受信文書を転送しない」を選択した場合は、情報符号化へ進む（Ｓ６）。「受信文書を転送する」を選択した場合は、「受信文書を全て転送する」か、あるいは「受信文書を部分的に転送する」を選択する（Ｓ５）。部分的に転送するとは、具体的には受信文書の１ページ目のみ転送する場合などを示す。
【００３３】
選択した後に情報符号化を行う（Ｓ６）。情報符号化では、前述の受信通知先のＥメールアドレスと、受信文書の転送方法の指示が符号化される。受信文書の転送方法は、数字に割り当てることができる。例えば、
０　…　受信文書の転送を行わない、
１　…　受信文書の１ページ目のみを転送する、
２　…　受信文書を全て転送する、
などが利用できる。
【００３４】
Ｅメールアドレスと受信文書の転送方法の符号化方法は公知であるため、ここでは説明を省略する。例えばＡＳＣＩＩコードを利用する方法や、バーコードを利用する方法がある。また、ファクシミリ送信伝送手段におけるＮＳＳ信号として送ってもよい。符号化された情報は、通常の送信処理による送信データに付加された後に（Ｓ７）、通常の送信処理を経て送信される（Ｓ８）。
【００３５】
図３は本発明の第２の実施の形態に係るファクシミリ装置の機能ブロック図である。本ファクシミリ装置は、受信文書データに付加された受信通知の通知先情報と通知方法制御情報を取り出す情報取り出し手段１１と、取り出した情報を復号化する情報復号化手段１２と、復号化された通知方法制御情報あるいは通知先情報に従って通知方法を制御する通知方法制御手段１３と、復号化された通知先情報で示される通知先へ入出力手段５を介して受信通知を送信する送信手段１４とを備えた。
【００３６】
図４は図３に示すファクシミリ装置の第１の制御動作を示すフローチャートである。まず、ファクシミリ装置は通常の受信処理を行う（Ｓ１）。受信した文書は装置内に蓄積されるか、または外部メディアに蓄積される。
【００３７】
通常の受信が完了すると受信した文書データ内に、受信通知方法制御情報あるいは受信通知先情報が存在するかどうかが検索される（Ｓ２）。見つかった場合は制御情報と通知先情報が取り出され、復号化される（Ｓ３、Ｓ４）。通知先へ受信通知を送信するが（Ｓ５、Ｓ６）、受信通知には受信時のステータス（受信成功、未完了など）を含む。
【００３８】
また、その際に通知方法制御情報に従って、受信文書を返送する。通知方法制御情報は例えば、
０　…　受信文書の転送を行わない、
１　…　受信文書の１ページ目のみを転送する（Ｓ７）、
２　…　受信文書を全て転送する（Ｓ８）、
などのように符号化されている。
【００３９】
図３に示すファクシミリ装置の第２の制御動作を説明する。図４に示す第１の制御動作と同様の部分は省略する。
【００４０】
受信通知先が取り出され復号化された後、通知先を解析する。解析は例えば以下のように行われる。
（１）復号化された通知先のＥメールアドレスが　ｕｓｅｒｎａｍｅ＠ｍｏｂｉｌｅｐｈｏｎｅ．ｄｏｍａｉｎであったとする。
（２）ドメイン名”ｍｏｂｉｌｅｐｈｏｎｅ．ｄｏｍａｉｎ”が受信文書を受け付けないドメインのリスト（例えば携帯電話のＥメールサーバなど）に含まれるているかどうか検索する。検索はインターネット上のデータベースかあるいはあらかじめ該ファクシミリ装置に登録されたデータベースで行われる。
（３）見つかった場合は受信通知方法制御情報を無視し、受信文書を返送しない設定とする。
これにより、受信文書を返送しても意味のない場合は返送しないようにすることが可能である。
【００４１】
【発明の効果】
以上説明したように、請求項１に係る発明によれば、送信文書データに受信通知の方法を制御する情報を付加して送信することにより、受信通知の方法の制御が可能なファクシミリ装置を提供することができる。
【００４２】
請求項２に係る発明によれば、送信文書データに受信通知に受信文書を含めるか否かの制御情報を付加して送信することにより、受信通知の方法の制御が可能なファクシミリ装置を提供することができる。
【００４３】
請求項３に係る発明によれば、送信文書データに受信通知に受信文書を全て含めるか、あるいは一部含めるかの制御情報を付加して送信することにより、受信通知の制御が可能なファクシミリ装置を提供することができる。
【００４４】
請求項４に係る発明によれば、送信文書データに受信通知先と制御情報をバーコード画情報として付加して送信することにより、受信通知の制御が可能なファクシミリ装置を提供することができる。
【００４５】
請求項５に係る発明によれば、受信文書データに付加された受信通知の方法に従って受信通知を行うことが可能なファクシミリ装置を提供することができる。
【００４６】
請求項６に係る発明によれば、受信文書データに付加された、受信文書を含めるか否かの制御情報に従って受信通知を行うことが可能なファクシミリ装置を提供することができる。
【００４７】
請求項７に係る発明によれば、受信文書データに付加された、受信文書を全て含めるか、あるいは一部含めるかの制御情報に従って受信通知を行うことが可能なファクシミリ装置を提供することができる。
【００４８】
請求項８に係る発明によれば、送信文書データにバーコード画情報として付加された受信通知先と制御情報に従って受信通知を行うことが可能なファクシミリ装置を提供することができる。
【００４９】
請求項９に係る発明によれば、送信文書データに付加された受信通知先を解析し、結果に従って受信通知の方法を制御することが可能なファクシミリ装置を提供することができる。
【図面の簡単な説明】
【図１】本発明の第１の実施の形態に係るファクシミリ装置の機能ブロック図である。
【図２】図１に示すファクシミリ装置の制御動作を示すフローチャートである。
【図３】本発明の第２の実施の形態に係るファクシミリ装置の機能ブロック図である。
【図４】図３に示すファクシミリ装置の第１の制御動作を示すフローチャートである。
【符号の説明】
１　通知先情報入力手段
２　通知方法制御情報入力手段
３　情報符号化手段
４　情報付加手段
５　入出力手段
【図１】
2004040488.tif 000003
【図２】
2004040488.tif 000004
【図３】
2004040488.tif 000005
【図４】
2004040488.tif 000006